(57)【要約】【課題】簡易な構成で監視対象機器の報知部を監視可能とする。【解決手段】監視システム１０は、監視対象機器２０の報知部を、移動可能な撮像装置１４により撮像可能な実空間内の位置を表す位置情報を取得し、取得した位置情報が表す位置に撮像装置１４を移動させ、かつ撮像装置１４により撮像させる制御を行い、撮像装置１４による撮像により得られた画像を示す画像データを記憶部に記憶する制御を行う。【選択図】図１
2019149089.tif 000002
【特許請求の範囲】
【請求項１】
監視対象機器の報知部を、移動可能な撮像装置により撮像可能な実空間内の位置を表す位置情報を取得する取得部と、
前記取得部により取得された位置情報が表す位置に前記撮像装置を移動させ、かつ前記撮像装置により撮像させる制御を行う撮像制御部と、
前記撮像装置による撮像により得られた画像を示す画像データを記憶部に記憶する制御を行う記憶制御部と、
を含む監視システム。
【請求項２】
前記監視対象機器の異常を検知する検知部を更に含み、
前記取得部は、前記検知部により異常が検知された場合に、前記異常が検知された監視対象機器に対応する前記位置情報を取得する
請求項１に記載の監視システム。
【請求項３】
前記実空間は、ラックに設置された前記撮像装置が移動可能な範囲の空間であり、
前記取得部は、前記監視対象機器及び前記監視対象機器が設置された前記ラックに対応する前記位置情報を取得し、
前記記憶制御部は、前記画像データを、前記監視対象機器及び前記ラックに対応付けて前記記憶部に記憶する制御を行う
請求項１又は請求項２に記載の監視システム。
【請求項４】
前記ラックは、データセンターに設置されている
請求項３に記載の監視システム。
【請求項５】
前記撮像装置による撮像により得られた画像を表示する表示部と、
前記表示部により表示された画像に対応してユーザから入力された撮像指示を受け付ける受付部と、
を更に含み、
前記記憶制御部は、前記受付部により撮像指示が受け付けられた場合に、前記画像データを前記記憶部に記憶する制御を行う
請求項１から請求項４の何れか１項に記載の監視システム。
【請求項６】
監視対象機器の報知部を、移動可能な撮像装置により撮像可能な実空間内の位置を表す位置情報を取得し、
取得した位置情報が表す位置に前記撮像装置を移動させ、かつ前記撮像装置により撮像させる制御を行い、
前記撮像装置による撮像により得られた画像を示す画像データを記憶部に記憶する制御を行う
処理を監視システムが実行する監視方法。
【発明の詳細な説明】
【技術分野】
【０００１】
本発明は、監視システム及び監視方法に関する。
【背景技術】
【０００２】
従来、ネットワーク機器、サーバ機器、及びストレージ機器等の情報処理装置に関して、情報処理装置が備えるＬＥＤ（Light Emitting Diode）ランプ及び液晶ディスプレイ等の情報処理装置の状態を報知する報知部を目視で監視することが行われている。
【０００３】
また、例えば、特許文献１には、上記報知部を撮像する撮像装置を情報処理装置毎に備え、各撮像装置による撮像により得られた画像を用いて各情報処理装置の監視を行うコンピュータ関連機器用ラックが開示されている。
【先行技術文献】
【特許文献】
【０００４】
【特許文献１】特開２００５−２４２９１６号公報
【発明の概要】
【発明が解決しようとする課題】
【０００５】
しかしながら、特許文献１に記載の技術では、監視対象機器毎に撮像装置を用意する必要があり、また、撮像装置毎に報知部を撮像するための撮像範囲等の設定が必要であるため、システムの構成が複雑になってしまうという問題点があった。
【０００６】
本発明は、簡易な構成で監視対象機器の報知部を監視可能とすることを目的とする。
【課題を解決するための手段】
【０００７】
本発明の監視システムは、監視対象機器の報知部を、移動可能な撮像装置により撮像可能な実空間内の位置を表す位置情報を取得する取得部と、前記取得部により取得された位置情報が表す位置に前記撮像装置を移動させ、かつ前記撮像装置により撮像させる制御を行う撮像制御部と、前記撮像装置による撮像により得られた画像を示す画像データを記憶部に記憶する制御を行う記憶制御部と、を含む。
【０００８】
また、本発明の監視方法は、監視対象機器の報知部を、移動可能な撮像装置により撮像可能な実空間内の位置を表す位置情報を取得し、取得した位置情報が表す位置に前記撮像装置を移動させ、かつ前記撮像装置により撮像させる制御を行い、前記撮像装置による撮像により得られた画像を示す画像データを記憶部に記憶する制御を行う処理を監視システムが実行するものである。
【発明の効果】
【０００９】
本発明によれば、簡易な構成で監視対象機器の報知部を監視することができる、という効果が得られる。
【図面の簡単な説明】
【００１０】
【図１】実施形態に係る監視システムの構成の一例を示すブロック図である。
【図２】実施形態に係るラック内の構成の一例を示す図である。
【図３】実施形態に係る撮像制御装置のハードウェア構成を示すブロック図である。
【図４】実施形態に係る監視サーバのハードウェア構成を示すブロック図である。
【図５】実施形態に係る位置情報テーブルの一例を示す図である。
【図６】実施形態に係る監視端末のハードウェア構成を示すブロック図である。
【図７】実施形態に係る監視サーバの機能的な構成の一例を示すブロック図である。
【図８】実施形態に係る撮像制御装置の機能的な構成の一例を示すブロック図である。
【図９】実施形態に係る撮像蓄積情報の一例を示す図である。
【図１０】実施形態に係る監視端末の機能的な構成の一例を示すブロック図である。
【図１１】実施形態に係る監視システムの一連の処理の流れの一例を示すシーケンス図である。
【図１２】変形例に係る入力画面の一例を示す図である。
【図１３】変形例に係る入力画面の一例を示す図である。
【図１４】変形例に係る位置情報テーブルの一例を示す図である。
【発明を実施するための形態】
【００１１】
以下、図面を参照して、本発明の実施形態の例を詳細に説明する。なお、本実施形態では、本発明を、複数台の監視対象機器を監視対象とする監視システムに適用した場合について説明する。
【００１２】
まず、図１を参照して、本実施形態に係る監視システム１０の構成を説明する。図１に示すように、監視システム１０は、撮像制御装置１２、撮像装置１４、監視サーバ１６、及び監視端末１８をそれぞれ１台ずつ含む。撮像制御装置１２、撮像装置１４、監視サーバ１６、及び複数台の監視対象機器２０は、同じデータセンター内に設置される。監視端末１８は、ユーザの一例としての監視者が位置する建物内に設置される。
【００１３】
撮像制御装置１２、監視サーバ１６、及び監視対象機器２０は、ＬＡＮ（Local Area Network）等のネットワーク２２に接続され、ネットワーク２２を介して通信が可能とされる。また、監視端末１８は、ＷＡＮ（Wide Area Network）等のネットワーク２４に接続され、ネットワーク２４はネットワーク２２に接続される。従って、監視端末１８と、撮像制御装置１２、監視サーバ１６、及び監視対象機器２０とは、ネットワーク２２、２４を介して通信が可能とされる。
【００１４】
また、撮像制御装置１２、監視サーバ１６、監視端末１８、及び各監視対象機器２０には、監視システム１０内で一意なＩＰ（Internet Protocol）アドレスが割り当てられている。そして、撮像制御装置１２、監視サーバ１６、監視端末１８、及び各監視対象機器２０は、ＴＣＰ（Transmission Control Protocol）／ＩＰ等の予め定められた通信プロトコルに従って、ＩＰアドレスを用いて通信を行う。撮像装置１４は、撮像制御装置１２に接続されており、撮像制御装置１２による制御によって撮像を行う。
【００１５】
次に、図２を参照して、本実施形態に係る撮像装置１４及び監視対象機器２０が設置されるラック内の構成を説明する。本実施形態に係るラックは、１９インチラック等の電子機器が設置されるラックであり、データセンターに設置されている。なお、図２の左側は、ラック内部をラック前面側から見た図であり、図２の右側は、ラック前面の扉をラックの内側から見た図である。
【００１６】
図２の左側に示すように、ラックには、複数台の監視対象機器２０が設置される。監視対象機器２０の例としては、サーバコンピュータ、パーソナルコンピュータ、ネットワーク機器、及びストレージ機器等の電子機器が挙げられる。監視対象機器２０のラック前面側の面には、報知部２６が設けられている。報知部２６の例としては、ＬＥＤランプ等の発光装置が挙げられる。また、報知部２６は、ＬＥＤランプの色と、点灯、消灯、及び点滅等の状態とによって、監視対象機器２０の状態を報知する。なお、報知部２６は、ＬＥＤランプ等の発光装置に限定されず、液晶ディスプレイ等の表示装置であってもよい。
【００１７】
また、図２の右側に示すように、ラック前面の扉の内側には、移動機構２８が設けられている。また、移動機構２８には、撮像装置１４が設けられている。移動機構２８は、モータ等の駆動部（図示省略）を備え、撮像制御装置１２による制御によって、撮像装置１４を垂直方向及び水平方向にそれぞれ移動する。また、撮像装置１４は、レンズがラックの内側に向くように移動機構２８に設けられ、撮像制御装置１２による制御によって、ラック内をラックの前面側から撮像する。
【００１８】
次に、図３を参照して、本実施形態に係る撮像制御装置１２のハードウェア構成を説明する。図３に示すように、撮像制御装置１２は、ＣＰＵ（Central Processing Unit）３０、一時記憶領域としてのメモリ３１、及び不揮発性の記憶部３２を含む。また、撮像制御装置１２は、液晶ディスプレイ等の表示部３３、キーボードとマウス等の入力部３４、及びネットワーク２２に接続されるネットワークＩ／Ｆ（InterFace）３５を含む。また、撮像制御装置１２は、撮像装置１４及び移動機構２８の駆動部が接続される外部Ｉ／Ｆ３６を含む。ＣＰＵ３０、メモリ３１、記憶部３２、表示部３３、入力部３４、ネットワークＩ／Ｆ３５、及び外部Ｉ／Ｆ３６は、バス３７に接続される。
【００１９】
記憶部３２は、ＨＤＤ（Hard Disk Drive）、ＳＳＤ（Solid State Drive）、及びフラッシュメモリ等によって実現される。記憶媒体としての記憶部３２には、撮像制御プログラム３８が記憶される。ＣＰＵ３０は、記憶部３２から撮像制御プログラム３８を読み出してからメモリ３１に展開し、展開した撮像制御プログラム３８を実行する。また、記憶部３２には、撮像蓄積情報３９が記憶される。撮像蓄積情報３９の詳細は後述する。
【００２０】
次に、図４を参照して、本実施形態に係る監視サーバ１６のハードウェア構成を説明する。図４に示すように、監視サーバ１６は、ＣＰＵ４０、一時記憶領域としてのメモリ４１、及び不揮発性の記憶部４２を含む。また、監視サーバ１６は、液晶ディスプレイ等の表示部４３、キーボードとマウス等の入力部４４、及びネットワーク２２に接続されるネットワークＩ／Ｆ４５を含む。ＣＰＵ４０、メモリ４１、記憶部４２、表示部４３、入力部４４、及びネットワークＩ／Ｆ４５は、バス４６に接続される。
【００２１】
記憶部４２は、ＨＤＤ、ＳＳＤ、及びフラッシュメモリ等によって実現される。記憶媒体としての記憶部４２には、監視制御プログラム４８が記憶される。ＣＰＵ４０は、記憶部４２から監視制御プログラム４８を読み出してからメモリ４１に展開し、展開した監視制御プログラム４８を実行する。
【００２２】
また、記憶部４２には、位置情報テーブル４９が記憶される。図５に、位置情報テーブル４９の一例を示す。図５に示すように、本実施形態に係る位置情報テーブル４９には、ホスト名に対応付けられてラック番号、ユニット番号、水平位置情報、及び垂直位置情報が記憶される。位置情報テーブル４９のホスト名は、各監視対象機器２０の識別情報としてのホスト名であり、ラック番号は、各監視対象機器２０が設置されているラックの識別情報としての番号であり、ユニット番号は、各監視対象機器２０のラック内での設置位置を表す情報である。
【００２３】
また、位置情報テーブル４９の水平位置情報及び垂直位置情報は、各監視対象機器２０の報知部２６を撮像装置１４により撮像可能な実空間内（本実施形態では、ラックに設置された撮像装置１４が移動可能な範囲の空間内）の位置を表す位置情報の一例である。本実施形態では、位置情報テーブル４９の水平位置情報及び垂直位置情報は、それぞれ、ラック内の予め定められた基準位置（例えば、図２の右側の右上端の位置）を基準とした水平方向の移動量及び垂直方向の移動量を表す。
【００２４】
撮像装置１４を、基準位置から、水平位置情報列に記憶された移動量の分だけ水平方向に移動させ、垂直位置情報列に記憶された移動量の分だけ垂直方向に移動させると、対応するホスト名の監視対象機器２０の報知部２６が、撮像装置１４により撮像可能となる。なお、位置情報テーブル４９の水平位置情報及び垂直位置情報は、それぞれ、基準位置を原点とした水平方向の座標及び垂直方向の座標で表してもよい。また、位置情報テーブル４９のホスト名は、例えば、ＩＰアドレス又はＭＡＣ（Media Access Control）アドレス等の監視対象機器２０を識別可能な情報であれば、ホスト名以外であってもよい。
【００２５】
次に、図６を参照して、本実施形態に係る監視端末１８のハードウェア構成を説明する。図６に示すように、監視端末１８は、ＣＰＵ５０、一時記憶領域としてのメモリ５１、及び不揮発性の記憶部５２を含む。また、監視端末１８は、液晶ディスプレイ等の表示部５３、キーボードとマウス等の入力部５４、及びネットワーク２４に接続されるネットワークＩ／Ｆ５５を含む。ＣＰＵ５０、メモリ５１、記憶部５２、表示部５３、入力部５４、及びネットワークＩ／Ｆ５５は、バス５６に接続される。
【００２６】
記憶部５２は、ＨＤＤ、ＳＳＤ、及びフラッシュメモリ等によって実現される。記憶媒体としての記憶部５２には、端末制御プログラム５８が記憶される。ＣＰＵ５０は、記憶部５２から端末制御プログラム５８を読み出してからメモリ５１に展開し、展開した端末制御プログラム５８を実行する。
【００２７】
次に、図７を参照して、本実施形態に係る監視サーバ１６の機能的な構成を説明する。図７に示すように、監視サーバ１６は、検知部６０、取得部６２、及び送信部６４を含む。ＣＰＵ４０が監視制御プログラム４８を実行することで、検知部６０、取得部６２、及び送信部６４として機能する。
【００２８】
検知部６０は、監視対象機器２０の異常を検知する。例えば、検知部６０は、プロセス監視及びログ監視等によって監視対象機器２０の監視を行う。そして、検知部６０は、プロセスが終了した場合及びログファイルに予め定められた文字列が出力された場合等の異常が発生した条件として予め定められた条件を満たした場合に、監視対象機器２０の異常を検知する。更に、この場合、検知部６０は、異常が発生した監視対象機器２０のホスト名、異常の検知時刻、及び異常の内容を示す情報を含む異常検知情報を生成する。
【００２９】
取得部６２は、検知部６０により異常が検知された場合に、位置情報テーブル４９を参照し、検知部６０により生成された異常検知情報に含まれるホスト名に対応付けられたラック番号、水平位置情報、及び垂直位置情報を取得する。
【００３０】
送信部６４は、検知部６０により生成された異常検知情報を、ネットワークＩ／Ｆ４５を介して監視端末１８に送信する。また、送信部６４は、検知部６０により異常が検知された監視対象機器２０のホスト名と、取得部６２により取得されたラック番号、水平位置情報、及び垂直位置情報とを、ネットワークＩ／Ｆ４５を介して撮像制御装置１２に送信する。
【００３１】
次に、図８を参照して、本実施形態に係る撮像制御装置１２の機能的な構成を説明する。図８に示すように、撮像制御装置１２は、受信部７０、撮像制御部７２、記憶制御部７４、及び通知部７６を含む。ＣＰＵ３０が撮像制御プログラム３８を実行することで、受信部７０、撮像制御部７２、記憶制御部７４、及び通知部７６として機能する。
【００３２】
受信部７０は、監視サーバ１６から送信された監視対象機器２０のホスト名、ラック番号、水平位置情報、及び垂直位置情報を、ネットワークＩ／Ｆ３５を介して受信する。
【００３３】
撮像制御部７２は、移動機構２８の駆動部を制御し、受信部７０により受信された水平位置情報及び垂直位置情報が表す位置に撮像装置１４を移動させる。具体的には、撮像制御部７２は、移動機構２８の駆動部を制御し、基準位置から、水平位置情報が表す移動量の分、撮像装置１４を水平方向に移動させ、かつ垂直位置情報が表す移動量の分、撮像装置１４を垂直方向に移動させる。
【００３４】
また、撮像制御部７２は、撮像装置１４を移動させた後、撮像装置１４を制御し、撮像装置１４により所定期間（例えば、５秒間）の間、所定の撮像間隔（例えば、０．５秒間隔）で画像を撮像させる。また、撮像制御部７２は、撮像装置１４による撮像の完了後に、移動機構２８の駆動部を制御し、撮像装置１４を基準位置に戻す。このように、撮像装置１４により所定期間の間、所定の撮像間隔で撮像させることによって、一度の撮像処理で複数の画像を撮像させるのは、報知部２６が点灯状態であるか、点滅状態であるか、又は消灯状態であるかを判別可能とするためである。
【００３５】
記憶制御部７４は、撮像装置１４による撮像により得られた複数の画像それぞれを示す複数の画像データを、撮像日時と、受信部７０により受信されたホスト名及びラック番号とに対応付けて、撮像蓄積情報３９として記憶部３２に記憶する。図９に、撮像蓄積情報３９の一例を示す。図９に示すように、本実施形態では、記憶制御部７４は、複数の画像データを予め定められた格納パスが示す記憶先に記憶し、かつホスト名、ラック番号、撮像日時、及び複数の画像データの記憶先の格納パスを対応付けて、撮像蓄積情報３９として記憶部３２に記憶する。
【００３６】
なお、撮像蓄積情報３９の記憶形式は、図９に示す例に限定されず、例えば、画像データのファイル名に、ホスト名、ラック番号、及び撮像日時を含めてもよいし、画像データが示す画像に、ホスト名、ラック番号、及び撮像日時を埋め込んでもよい。
【００３７】
通知部７６は、記憶制御部７４によりホスト名、ラック番号、撮像日時、及び複数の画像データの記憶が完了した後に、撮像が完了したことを、ネットワークＩ／Ｆ３５を介して監視端末１８に通知する。
【００３８】
次に、図１０を参照して、本実施形態に係る監視端末１８の機能的な構成を説明する。図１０に示すように、監視端末１８は、受信部８０、報知部８２、受付部８４、取得部８６、及び表示制御部８８を含む。ＣＰＵ５０が端末制御プログラム５８を実行することで、受信部８０、報知部８２、受付部８４、取得部８６、及び表示制御部８８として機能する。
【００３９】
受信部８０は、監視サーバ１６から送信された異常検知情報を、ネットワークＩ／Ｆ５５を介して受信する。また、受信部８０は、撮像制御装置１２から送信された撮像完了の通知を受信する。
【００４０】
報知部８２は、受信部８０により受信された異常検知情報に従って、監視対象機器２０に異常が発生したことを監視者に報知する。例えば、報知部８２は、警告灯を鳴動させ、かつ異常検知情報に含まれるホスト名、異常の検知時刻、及び異常の内容を示す情報を含むメッセージを表示部５３に表示させることにより、監視対象機器２０に異常が発生したことを監視者に報知する。なお、報知部８２は、異常検知情報に含まれるホスト名、異常の検知時刻、及び異常の内容を示す情報を含むメッセージを、監視者の電子メールアドレス宛に電子メールで送信することによって、監視対象機器２０に異常が発生したことを監視者に報知してもよい。
【００４１】
受付部８４は、ユーザにより入力部５４を介して入力された画像の表示指示を受け付ける。この表示指示には、ホスト名及び撮像日時が含まれる。
【００４２】
取得部８６は、受付部８４により表示指示が受け付けられた場合、表示指示に含まれるホスト名及び撮像日時に対応する複数の画像データを、撮像制御装置１２の記憶部３２に記憶された撮像蓄積情報３９から、ネットワークＩ／Ｆ５５を介して取得する。
【００４３】
表示制御部８８は、取得部８６により取得された複数の画像データそれぞれが示す複数の画像を、表示部５３に表示する制御を行う。なお、表示制御部８８は、表示部５３の異なる表示領域に、複数の画像を並べて表示する制御を行ってもよいし、表示部５３の同一の表示領域に、複数の画像を画像の撮像順序に従って切り替えて表示する制御を行ってもよい。
【００４４】
次に、図１１を参照して、本実施形態に係る監視システム１０の作用を説明する。撮像制御装置１２のＣＰＵ３０が撮像制御プログラム３８を実行することによって、図１１における撮像制御装置１２による処理が実行される。また、監視サーバ１６のＣＰＵ４０が監視制御プログラム４８を実行することによって、図１１における監視サーバ１６による処理が実行される。また、監視端末１８のＣＰＵ５０が端末制御プログラム５８を実行することによって、図１１における監視端末１８による処理が実行される。
【００４５】
図１１のステップＳ１０で、検知部６０は、前述したように、監視対象機器２０の異常を検知する。そして、検知部６０は、異常が発生した監視対象機器２０のホスト名、異常の検知時刻、及び異常の内容を示す情報を含む異常検知情報を生成する。ステップＳ１２で、送信部６４は、ステップＳ１０の処理により生成された異常検知情報を、ネットワークＩ／Ｆ４５を介して監視端末１８に送信する。
【００４６】
ステップＳ１４で、受信部８０は、ステップＳ１２の処理により監視サーバ１６から送信された異常検知情報を、ネットワークＩ／Ｆ５５を介して受信する。ステップＳ１６で、報知部８２は、前述したように、ステップＳ１４の処理により受信された異常検知情報に従って、監視対象機器２０に異常が発生したことを監視者に報知する。
【００４７】
一方、ステップＳ１８で、取得部６２は、位置情報テーブル４９を参照し、ステップＳ１０の処理により生成された異常検知情報に含まれるホスト名に対応付けられたラック番号、水平位置情報、及び垂直位置情報を取得する。ステップＳ２０で、送信部６４は、ステップＳ１０の処理により異常が検知された監視対象機器２０のホスト名と、ステップＳ１８の処理により取得されたラック番号、水平位置情報、及び垂直位置情報とを、ネットワークＩ／Ｆ４５を介して撮像制御装置１２に送信する。
【００４８】
ステップＳ２２で、受信部７０は、ステップＳ２０の処理により監視サーバ１６から送信された監視対象機器２０のホスト名、ラック番号、水平位置情報、及び垂直位置情報を、ネットワークＩ／Ｆ３５を介して受信する。ステップＳ２４で、撮像制御部７２は、前述したように、移動機構２８の駆動部を制御し、ステップＳ２２の処理により受信された水平位置情報及び垂直位置情報が表す位置に撮像装置１４を移動させる。
【００４９】
ステップＳ２６で、撮像制御部７２は、前述したように、撮像装置１４を制御し、撮像装置１４により所定期間の間、所定の撮像間隔で画像を撮像させる。ステップＳ２８で、記憶制御部７４は、前述したように、ステップＳ２６の処理により得られた複数の画像それぞれを示す複数の画像データを、撮像日時と、ステップＳ２２の処理により受信されたホスト名及びラック番号とに対応付けて、撮像蓄積情報３９として記憶部３２に記憶する。
【００５０】
ステップＳ３０で、通知部７６は、撮像が完了したことを、ネットワークＩ／Ｆ３５を介して監視端末１８に通知する。受信部８０は、ステップＳ３０の処理により撮像制御装置１２から送信された撮像完了の通知を受信する。監視者は、ステップＳ１６の処理により報知された情報を確認し、異常の原因が不明な場合は、異常が発生したホスト名及び画像の撮像日時を含む画像の表示指示を、入力部５４を介して入力する。
【００５１】
ステップＳ３２で、受付部８４は、ユーザにより入力部５４を介して入力された画像の表示指示を受け付ける。ステップＳ３４で、取得部８６は、ステップＳ３２の処理により受け付けられた表示指示に含まれるホスト名及び撮像日時に対応する複数の画像データを、撮像制御装置１２の記憶部３２に記憶された撮像蓄積情報３９から、ネットワークＩ／Ｆ５５を介して取得する。
【００５２】
ステップＳ３６で、表示制御部８８は、前述したように、ステップＳ３４の処理により取得された複数の画像データそれぞれが示す複数の画像を、表示部５３に表示する制御を行う。監視者は、表示部５３に表示された複数の画像に含まれる報知部２６を目視し、異常が発生した監視対象機器２０の状態を確認する。
【００５３】
以上説明したように、本実施形態によれば、監視対象機器２０の報知部２６を撮像可能な実空間内の位置に撮像装置１４を移動させ、かつ撮像装置１４により撮像させる制御を行い、撮像により得られた画像を示す画像データを記憶部３２に記憶する制御を行う。従って、簡易な構成で監視対象機器の報知部を監視することができる。
【００５４】
なお、上記実施形態では、監視対象機器２０の異常を検知した場合に、異常が検知された監視対象機器２０の報知部２６を撮像する場合について説明したが、これに限定されない。例えば、監視者によって撮像の指示が行われた場合に、監視対象機器２０の報知部２６を撮像する形態としてもよい。この形態例における表示部５３に表示される撮像対象の監視対象機器２０を入力する入力画面の一例を図１２に示す。
【００５５】
監視者は、入力部５４を介して、図１２に示すホスト名の入力欄９０に撮像対象の監視対象機器２０のホスト名を入力した後、撮像ボタン９２を指定する。監視者により撮像ボタンが指定されると、入力欄９０に入力されたホスト名が、監視端末１８から監視サーバ１６に送信される。監視サーバ１６は、位置情報テーブル４９を参照し、監視端末１８から送信されたホスト名に対応付けられたラック番号、水平位置情報、及び垂直位置情報を取得する。以降は、上記ステップＳ２０以降の処理と同様の処理が実行される。
【００５６】
また、例えば、監視対象機器２０の異常を検知した場合ではなく、位置情報テーブル４９のホスト名列にホスト名が記憶されている各監視対象機器２０について、定期的に報知部２６を撮像装置１４により撮像する形態としてもよい。この場合、上記ステップＳ１８からステップＳ２８までの処理を定期的に実行する形態が例示される。
【００５７】
また、上記実施形態では、撮像制御装置１２が撮像装置１４を移動させた後、自動的に撮像装置１４による撮像、及び撮像により得られた画像データの記憶部３２への記憶を行う場合について説明したが、これに限定されない。撮像制御装置１２が撮像装置１４を移動させた後、撮像装置１４により所定の撮像間隔で撮像を行い、撮像により得られた画像データを逐次監視端末１８に送信する形態としてもよい。この場合、一例として図１３に示すように、監視端末１８は、撮像制御装置１２から送信された画像データを受信する毎に、受信した画像データが示す画像を表示部５３に表示する。すなわち、撮像装置１４により所定の撮像間隔で撮像された画像が、動画像として表示部５３に表示される。
【００５８】
監視者は、表示部５３に表示された動画像を目視し、表示された動画像を画像データとして記憶したい場合は、入力部５４を介して撮像ボタン９４を指定することによって撮像指示を入力する。監視端末１８は、撮像指示を受け付けると、撮像指示が入力されたことを撮像制御装置１２に通知する。撮像制御装置１２は、撮像指示が入力されたことが通知されると、撮像装置１４を制御し、撮像装置１４により所定期間の間、所定の撮像間隔で画像を撮像させる。そして、撮像制御装置１２は、上記実施形態と同様に、撮像装置１４による撮像により得られた複数の画像それぞれを示す複数の画像データを、撮像日時と、ホスト名及びラック番号とに対応付けて、撮像蓄積情報３９として記憶部３２に記憶する。
【００５９】
また、上記実施形態では、ラックに設置された移動機構２８により撮像装置１４を移動させる場合について説明したが、これに限定されない。例えば、自律的に飛行する飛行体、自律的に走行する車両、及び自律的に移動する二足歩行ロボット等の移動体に撮像装置１４を設け、この移動体を移動させることによって撮像装置１４を移動させる形態としてもよい。この場合、ラックの前面扉として、透明なガラスを含んで構成される扉等のラック内の報知部２６が、ラックの外部から撮像可能な扉を適用する形態が例示される。
【００６０】
また、この形態例における位置情報テーブル４９の一例を図１４に示す。図１４に示すように、この形態例におけるホスト名に対応付けられる位置情報として、予め定められた基準位置を原点とした３次元座標が例示される。
【００６１】
また、上記実施形態では、一度の撮像処理で撮像装置１４が複数の画像を撮像する場合について説明したが、これに限定されない。例えば、報知部２６が液晶ディスプレイ等の表示装置の場合等、１枚の画像から監視対象機器２０の状態を判別可能な場合は、一度の撮像処理で撮像装置１４が１枚の画像を撮像する形態としてもよい。
【００６２】
また、上記実施形態において撮像制御装置１２、監視サーバ１６、及び監視端末１８の３台の情報処理装置によって実現される機能を、１台、２台、又は４台以上の情報処理装置によって実現してもよい。
【００６３】
また、上記実施形態において、ＣＰＵ３０、４０、５０がプログラムを実行することによってソフトウェアにより実現される機能を、例えば、半導体集積回路等のハードウェアにより実現してもよいし、ハードウェアとソフトウェアとの組み合わせにより実現してもよい。
【００６４】
また、上記実施形態では、撮像制御プログラム３８が記憶部３２に予め記憶（インストール）されている態様を説明したが、これに限定されない。撮像制御プログラム３８は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、撮像制御プログラム３８は、ネットワークを介して外部装置からダウンロードされる形態としてもよい。
【００６５】
また、上記実施形態では、監視制御プログラム４８が記憶部４２に予め記憶されている態様を説明したが、これに限定されない。監視制御プログラム４８は、ＣＤ−ＲＯＭ、ＤＶＤ−ＲＯＭ、及びＵＳＢメモリ等の記録媒体に記録された形態で提供されてもよい。また、監視制御プログラム４８は、ネットワークを介して外部装置からダウンロードされる形態としてもよい。
【００６６】
また、上記実施形態では、端末制御プログラム５８が記憶部５２に予め記憶されている態様を説明したが、これに限定されない。端末制御プログラム５８は、ＣＤ−ＲＯＭ、ＤＶＤ−ＲＯＭ、及びＵＳＢメモリ等の記録媒体に記録された形態で提供されてもよい。また、端末制御プログラム５８は、ネットワークを介して外部装置からダウンロードされる形態としてもよい。
【符号の説明】
【００６７】
１０  監視システム
１２  撮像制御装置
１４  撮像装置
１６  監視サーバ
１８  監視端末
２０  監視対象機器
２６  報知部
２８  移動機構
３０、４０、５０  ＣＰＵ
３１、４１、５１  メモリ
３２、４２、５２  記憶部
３３、４３、５３  表示部
３８  撮像制御プログラム
３９  撮像蓄積情報
４８  監視制御プログラム
４９  位置情報テーブル
５８  端末制御プログラム
６０  検知部
６２、８６  取得部
６４  送信部
７０、８０  受信部
７２  撮像制御部
７４  記憶制御部
７６  通知部
８２  報知部
８４  受付部
８８  表示制御部
【図１】
2019149089.tif 000003
【図２】
2019149089.tif 000004
【図３】
2019149089.tif 000005
【図４】
2019149089.tif 000006
【図５】
2019149089.tif 000007
【図６】
2019149089.tif 000008
【図７】
2019149089.tif 000009
【図８】
2019149089.tif 000010
【図９】
2019149089.tif 000011
【図１０】
2019149089.tif 000012
【図１１】
2019149089.tif 000013
【図１２】
2019149089.tif 000014
【図１３】
2019149089.tif 000015
【図１４】
2019149089.tif 000016